(57)【要約】【課題】錠前の代わりとすることを可能とすることで、不審者の侵入を防止することが可能な扉閉鎖装置を提供する。【解決手段】玄関枠３０の開口部に開閉自在に取り付けられた玄関扉２０を、閉鎖状態に維持する扉閉鎖装置である。この扉閉鎖装置は、玄関枠３０側に設けられ、玄関扉２０が閉鎖位置であるときに、開口部の縁部と玄関扉２０との間の空間を閉塞空間１１ｄとする吸盤１１と、閉塞空間１１ｄ内の空気を吸引するホース１２および吸引ポンプ１４とを備え、吸盤１１は、弾性部材により、基部から吸着面に当接する先部に向かって拡がるように形成されている。ホース１２には、吸引ポンプ１４側からの逆流を防止するバルブ１３が設けられている。【選択図】図１
2009052290.tif 000002
【特許請求の範囲】
【請求項１】
開口部に開閉自在に取り付けられた扉を、閉鎖状態に維持する扉閉鎖装置であって、
前記扉が閉鎖位置であるときに、前記開口部の縁部と扉との間の空間を閉塞空間とする閉塞部と、
前記閉塞空間内の空気を吸引する吸引部とを備え、
前記閉塞部は、弾性部材により、前記開口部の縁部または扉に取り付けられた基部から対向する前記開口部の縁部または扉の吸着面に当接する先部に向かって拡がるように形成されていることを特徴する扉閉鎖装置。
【請求項２】
前記閉塞部は、前記開口部の縁部に設けられた吸盤であり、
前記吸引部は、前記吸盤の基部に一端が接続されることで前記閉塞空間に連通するホースと、前記ホースの他端に接続された吸引ポンプとを備えている請求項１記載の扉閉鎖装置。
【請求項３】
前記閉塞部は、前記扉に設けられた吸盤であり、
前記吸引部は、前記開口部の縁部に設けられ、前記閉塞空間に一端が連通するホースと、前記ホースの他端に接続された吸引ポンプとを備えている請求項１記載の扉閉鎖装置。
【請求項４】
前記閉塞部は、前記開口部の縁部に設けられた第１壁部と、前記扉に設けられた第２壁部とで、前記閉塞空間を形成するものであり、
前記吸引部は、前記開口部の縁部に設けられ、前記閉塞空間に一端が連通するホースと、前記ホースの他端に接続された吸引ポンプとを備えている請求項１記載の扉閉鎖装置。
【請求項５】
前記ホースには、吸引ポンプ側からの逆流を防止するバルブが設けられている請求項１から４のいずれかの項に記載の扉閉鎖装置。
【発明の詳細な説明】
【技術分野】
【０００１】
本発明は、扉を閉鎖状態に維持することが可能な扉閉鎖装置に関する。
【背景技術】
【０００２】
従来の扉閉鎖装置としては、例えば、特許文献１に記載されたものがある。特許文献１に記載の自動車ドアの気密閉鎖構造は、キヤビンのドア開口に沿って周設されたウエザーストリツプと、このウエザーストリツプの一端に接続され、他端がエアクリーナに接続された負圧ホースとを備えたものである。このウエザーストリツプは、閉鎖断面を有すると共に、ドアパネルに当接する面に適宜間隔で複数の小径孔が配設されている。ドアを閉めると、ドアパネルの外周部内面がウエザーストリツプに当接するが、ウエザーストリツプは負圧ホースを介してエアクリーナに接続されているので、ウエザーストリツプの内圧が負圧となり、小径孔を介してドアパネルを吸着するので、ウエザーストリツプとドアパネルの間の気密性を保つことができる。
【０００３】
【特許文献１】実用新案登録２５１６１０８号公報
【発明の開示】
【発明が解決しようとする課題】
【０００４】
しかし、特許文献１に記載の自動車ドアの気密閉鎖構造は、ドアパネルの外周部内面を、ウエザーストリツプの当接面に設けられた小径孔から吸引しているため、吸着の度合いが低いものと思われる。それは、ウエザーストリツプがドアパネルの外周部内面により押圧されることで、ウエザーストリツプが変形して小径孔からの吸引に対する吸着面となるが、ウエザーストリツプの弾性復元力はドアを開放するように作用するので、小径孔からの吸引力だけでドアパネルを密着して固定させるには、相当な大きな吸引力が必要になる。
【０００５】
従って、特許文献１に記載の自動車ドアの気密閉鎖構造では、ドアパネルをウエザーストリツプに押し付ける閉鎖状態に維持するロック機構が必要であると思われる。そして、ドアパネルが閉鎖状態に維持された上で、ウエザーストリツプがドアパネルの外周部内面に吸着することで、気密性だけを確保しているものと思われる。これでは、不審者の侵入を防止する錠前の代わりとして、家屋の玄関や、施設の出入り口に設けられるものではない。
【０００６】
そこで本発明は、錠前の代わりとすることを可能とすることで、不審者の侵入を防止することが可能な扉閉鎖装置を提供することを目的とする。
【課題を解決するための手段】
【０００７】
本発明の扉閉鎖装置は、開口部に開閉自在に取り付けられた扉を、閉鎖状態に維持する扉閉鎖装置であって、前記扉が閉鎖位置であるときに、前記開口部の縁部と扉との間の空間を閉塞空間とする閉塞部と、前記閉塞空間内の空気を吸引する吸引部とを備え、前記閉塞部は、弾性部材により、基部から吸着面に当接する先部に向かって拡がるように形成されていることを特徴する。
【０００８】
本発明の扉閉鎖装置は、扉が閉鎖位置にあるときに、閉塞部が開口部の縁部と扉との間の空間に閉塞空間を形成する。この吸引部は、閉塞空間内の空気を吸引することで、閉塞空間内が真空状態、あるいは真空状態に近くなる。閉塞部は、弾性部材により形成され、開口部の縁部または扉に取り付けられた基部から対向する前記開口部の縁部または扉の吸着面に当接する先部に向かって拡がるように形成されているので、閉塞空間が真空状態、あるいは真空状態に近くなることで、閉塞部が弾性変形して先部の内側面が吸着面に押し付けられるように密着する。従って、閉塞部の先部の内側面を幅広く吸着面に密着させることができるので、扉を開けようとしても、扉の閉鎖状態を維持させることができる。
【０００９】
前記閉塞部は、前記開口部の縁部に設けられた吸盤であり、前記吸引部は、前記吸盤の基部に一端が接続されることで前記閉塞空間に連通するホースと、前記ホースの他端に接続された吸引ポンプとを備えたものとすることができる。
閉塞部として開口部の縁部に吸盤が設けられていると、扉が閉鎖状態となったときに、吸盤の先部が扉に当接することで、吸盤内の空間が閉塞空間となる。吸引ポンプが吸引を開始すると、ホースを介して吸盤の基部から閉塞空間内の空気が吸引されるので、吸盤は扉に密着する。従って、扉を閉鎖状態に維持することができる。
【００１０】
また、前記閉塞部は、前記扉に設けられた吸盤であり、前記吸引部は、前記開口部の縁部に設けられ、前記閉塞空間に一端が連通するホースと、前記ホースの他端に接続された吸引ポンプとを備えたものとすることができる。
閉塞部として扉に吸盤が設けられていると、扉が閉鎖状態となったときに、吸盤の先部が開口部の縁部に当接することで、吸盤内の空間が閉塞空間となる。吸引ポンプが吸引を開始すると、閉塞空間に連通するホースを介して閉塞空間内の空気が吸引されるので、吸盤は扉に密着する。従って、扉を閉鎖状態に維持することができる。
【００１１】
更に、前記閉塞部は、前記開口部の縁部に設けられた第１壁部と、前記扉部に設けられた第２壁部とで、前記閉塞空間を形成するものであり、前記吸引部は、前記開口部の縁部に設けられ、前記閉塞空間に一端が連通するホースと、前記ホースの他端に接続された吸引ポンプとを備えたものとすることができる。
閉塞部として、第１壁部が開口部の縁部に設けられたものであり、第２壁部が扉に設けられたものであると、扉が閉鎖状態となったときに、第１壁部が扉に当接し、第２壁部が開口部の縁部に当接することで、第１壁部と第２壁部とで仕切られた空間が閉塞空間となる。吸引ポンプが吸引を開始すると、この閉塞空間に連通するホースを介して閉塞空間内の空気が吸引されるので、閉塞部は扉に密着する。従って、扉を閉鎖状態に維持することができる。
前記ホースには、吸引ポンプ側からの逆流を防止するバルブが設けられていると、扉を閉鎖状態に維持する際に、吸引ポンプの吸引を停止しても扉を開口部に吸着させた状態に維持することができる。
【発明の効果】
【００１２】
本発明の扉閉鎖装置は、閉塞部の先部の内側面を幅広く吸着面に密着させることができるので、扉を開けようとしても、扉の閉鎖状態を維持させることができる。よって、本発明は、錠前の代わりとすることを可能とすることで、不審者の侵入を防止することが可能である。
【発明を実施するための最良の形態】
【００１３】
（実施の形態１）
本発明の実施の形態１に係る扉閉鎖装置を、図１から図６に基づいて説明する。図１は、本発明の実施の形態１に係る扉閉鎖装置を示す図であり、（Ａ）は玄関扉の正面図、（Ｂ）は玄関枠の正面図である。図２は、玄関枠の下枠内部を示す図である。図３は、玄関扉および玄関枠の水平断面図である。図４は、玄関扉および玄関枠の垂直断面図である。図５は、図３の要部拡大図である。図６は、実施の形態１の変形例を示す図であり、（Ａ）は吸盤を２本とした例を示す図、（Ｂ）は吸盤を２本とした例を示す図、（Ｃ）は吸盤を４本とした例を示す図、（Ｄ）は吸盤を円形状とした例を示す図である。
【００１４】
図１に示すように、本発明の実施の形態１に係る扉閉鎖装置１０は、開き戸である建物の玄関扉２０を、封鎖状態に維持して錠前の代わりとし、侵入者の侵入を防止するものである。玄関扉２０は、玄関枠３０に蝶番４０（図３参照）により開閉自在に取り付けられている。玄関枠３０は、矩形状に形成され、上枠部３０ａと、縦枠部３０ｂと、下枠部３０ｃとに、長尺状の戸当たりゴム３３〜３５が設けられている。玄関枠３０は、アンカー４１により壁部Ｗに固定されている（図３および図４参照）。
【００１５】
図１および図２に示すように、扉閉鎖装置１０は、吸盤１１と、ホース１２と、バルブ１３と、吸引ポンプ１４と、リモコン装置１５と、センサ部１６と、制御装置１７とを備えている。
【００１６】
図３に示すように、吸盤１１は、一方の縦枠部３０ｂに直線状に設けられ、玄関扉２０に密着して玄関扉２０を閉鎖状態とするものである。吸盤１１は、弾性部材であるゴム製やプラスチック製で長尺状に形成され、玄関枠３０の建物の外側から内側に向かって右側の縦枠部３０ｂに設けられている。吸盤１１は、図５に示すように、玄関枠３０の開口の縁部に設けられた凹部３１に格納されている。この凹部３１は、屋外に向くように開口している。従って、吸盤１１は、玄関扉２０が閉鎖する方向に対向するように配置される。吸盤１１は、この凹部３１の内側の壁面３１ａに基部１１ａの周囲面に形成されたひだ部１１ｂが弾性変形して嵌ることで固定されている。吸盤１１は、断面が、基部１１ａから先部１１ｃに向かって拡がるようにラッパ状に形成されている。従って、吸盤１１の先部１１ｃが玄関扉２０と当接すると、玄関扉２０が吸盤１１の拡がった先部１１ｃの蓋となって閉塞空間１１ｄが形成される。そして、先部１１ｃが更に拡がることで、先部１１ｃの内側面が玄関扉２０の吸着面２１に密着する密着面となる。吸盤１１の基端１１ｅには、孔１１ｆが設けられている。
【００１７】
図５に示すように、ホース１２は、吸盤１１の孔１１ｆに接続することで、吸盤１１の閉塞空間１１ｄと連通している。ホース１２の他端は、縦枠部３０ｂから下枠部３０ｃを通り、図２に示すようにバルブ１３を介して、下枠部３０ｃ内の空間３２に格納された吸引ポンプ１４に接続されている。
【００１８】
バルブ１３は、吸引ポンプ１４により吸引した閉塞空間１１ｄ内の空気が、吸引ポンプ１４を停止しても、閉塞空間１１ｄ内に戻らないように設けられた電磁弁である。バルブ１３は、制御装置１７から通電することで開放となり、遮断されることで閉塞する。吸引ポンプ１４は、閉塞空間１１ｄ内の空気を吸引する真空ポンプである。この吸引ポンプ１４とバルブ１３とホース１２とで吸引部が構成されている。なお、玄関扉２０が閉鎖状態に維持されているときに、吸引ポンプ１４が吸引作動し続けるのであればバルブ１３は吸引部として省略することも可能である。
【００１９】
リモコン装置１５は、玄関扉２０を、閉鎖状態に維持する施錠と、解放可能にする解錠とを指示するための無線送信装置である。リモコン装置１５には、ボタン１５ａが設けられている。このボタン１５ａを居住者が押下することで無線信号が送信される。居住者は、ボタン１５ａを押下することで、施錠状態であれば解錠することができ、解錠状態であれば施錠することができる。
【００２０】
センサ部１６は、リモコン装置１５からの無線信号を受信して、受信した旨の通知を制御装置１７へ通知するもので、配線１６ａにより制御装置１７と接続されている。このリモコン装置１５とセンサ部１６とは、本実施の形態１では無線式としているが赤外線式や超音波式としてもよい。なお、図３および図４においては、配線１６ａは省略している。
【００２１】
制御装置１７は、センサ部１６からの通知により吸引ポンプ１４を制御する機能を備えている。つまり、制御装置１７は、玄関扉２０が解錠状態であるときに、センサ部１６からの通知があれば、バルブ１３と吸引ポンプ１４とを作動させて施錠し、玄関扉２０が閉鎖状態に維持されているときに、センサ部１６からの通知があればバルブ１３のみを作動させて解錠する。また、制御装置１７には、タイマを内蔵しており、定期的に吸引制御を行う機能を備えている。
【００２２】
以上のように構成された本実施の形態１に係る扉閉鎖装置の使用状態について、図１から図５に基づいて説明する。
まず、居住者が外出するため、玄関の外へ出て玄関扉２０を閉じる。玄関扉２０が閉じるときには、吸盤１１が、玄関扉２０が閉鎖する方向に対向するように配置されているので、戸当たりゴム３３〜３５と共に、吸盤１１が玄関扉２０の閉まる衝撃を吸収する。従って、玄関扉２０が閉まることで発生する大きな音を抑止することができる。玄関扉２０が閉じた状態では、玄関扉２０に吸盤１１の先部１１ｃが当接した状態となり、玄関扉２０が吸盤１１に蓋をするように当接しているので、吸盤１１が閉塞部として機能して閉塞空間１１ｄが形成される。
【００２３】
居住者がリモコン装置１５のボタン１５ａを押下することで、リモコン装置１５から無線信号がセンサ部１６へ送信される。センサ部１６がリモコン装置１５からの無線信号を受信することで、制御装置１７が作動する。
【００２４】
制御装置１７は、まずバルブ１３を開放する。次に、吸引ポンプ１４を作動させる。そうすることで、閉塞空間１１ｄ内の空気は、ホース１２を通過すると共に、バルブ１３を通過して吸引される。従って、閉塞空間１１ｄ内が真空状態、または真空状態に近くなる。弾性部材により形成された吸盤１１は、基部１１ａから玄関扉２０の吸着面２１に当接する先部１１ｃに向かって拡がるように形成されているので、閉塞空間１１ｄが真空状態、あるいは真空状態に近くなることで、吸盤１１が弾性変形して先部１１ｃの内側面が吸着面２１に押し付けられるように密着する。従って、吸盤１１の先部１１ｃの内側面を幅広く吸着面２１に密着させることができるので、玄関扉２０を開けようとしても、玄関扉２０の閉鎖状態を維持させることができる。よって、扉閉鎖装置１０は、錠前の代わりとすることを可能とすることで、不審者の侵入を防止することが可能である。
【００２５】
制御装置１７は、吸引ポンプ１４を所定時間ほど作動させることで吸引が終了すると、バルブ１３への通電を遮断することでバルブ１３を閉塞とすると共に、吸引ポンプ１４への通電を遮断して吸引ポンプ１４を停止する。バルブ１３を閉塞とすることで、閉塞空間１１ｄへ空気が、吸引ポンプ１４側から戻らないので、吸引ポンプ１４を作動させなくても、玄関扉２０の閉鎖状態を維持することができる。従って、玄関扉２０を閉鎖状態に維持するのに省電力で運用することが可能である。
【００２６】
居住者が外出している時間が長いときには、吸盤１１の先部１１ｃから閉塞空間１１ｄ内に、徐々に空気が侵入することで、玄関扉２０と吸盤１１との吸着状態が解除されるおそれがある。制御装置１７にはタイマが内蔵されており、定期的に吸引制御を行っている。つまり、制御装置１７はセンサ部１６から施錠の通知があり、かつ所定時間経過しても解錠の通知がない場合に、吸引ポンプ１４を作動させると共に、バルブ１３を開放とすることで、勝手に玄関扉２０が解錠状態となることを防止する。従って、扉閉鎖装置１０は、玄関扉２０を閉鎖状態に、少ない電力で長時間維持することができる。また、吸盤１１が、多少、劣化して硬化しても、制御装置１７が定期的に吸引制御を行うことで、確実に玄関扉２０の施錠状態を維持することができる。
【００２７】
玄関扉２０を解錠するときには、リモコン装置１５のボタン１５ａを押下する。ボタン１５ａを押下することで無線信号がリモコン装置１５からセンサ部１６へ向けて送信される。センサ部１６でリモコン装置１５からの無線信号を受信すると、センサ部１６は制御装置１７へ受信したことを通知する。制御装置１７は、センサ部１６からの通知を受けたことでバルブ１３を開放とする。バルブ１３が開放されたことで空気が、ホース１２内を通過し、吸盤１１内の閉塞空間１１ｄに流れ込む。そうすることで、閉塞空間１１ｄ内が大気圧に戻ることで吸盤１１と玄関扉２０との吸着状態が解除される。このようにして玄関扉２０が解錠される。
【００２８】
吸盤１１は、玄関扉２０の室内側を吸着面２１とするように設けられているため、悪意のある侵入者が吸盤１１をカッターなどの刃物で傷つけようとしても不可能である。また、玄関扉２０は、吸盤１１の吸着により閉鎖状態となるため、鍵穴が必要ない。従って、扉閉鎖装置１０は高い防犯性を確保することができる。なお、更に防犯性を高めるために、玄関扉２０の外側面部分を突出させて、玄関扉２０と玄関枠３０の縦枠部３０ｂとの隙間を塞ぐようにしてもよい。そうすることで、悪意のある者が、玄関扉２０と縦枠部３０ｂとの隙間に、外側から棒状部材を挿入して、吸盤１１の先端に差し込むことで、吸盤１１の吸着を解除しようとすることを防止できる。玄関扉２０の外側面部分を突出させる場合には、縦枠部３０ｂに玄関扉２０の突出部分を収納する凹部を設けるようにすると、見栄えを向上させることができる。
【００２９】
なお、本実施の形態１では、吸盤１１が玄関枠３０に１本設けられているが、図６（Ａ）から同図（Ｃ）に示すように、２本に分割したような吸盤１１ｗとしたり、３本に分割したような吸盤１１ｘとしたり、４本に分割したような吸盤１１ｙとしたり、それ以上としたりすることが可能である。吸盤１１ｗ〜１１ｙのように数を多くしたとしても、ホース１２が玄関枠３０の内部の空間３２に接続していることで、一本のホース１２で全部の吸盤と一度に接続することが可能である。また、長尺状の吸盤１１，１１ｗ〜１１ｙとする以外に、図６（Ｄ）に示すように、円形状の吸盤１１ｚとすることも可能である。
【００３０】
（実施の形態２）
本発明の実施の形態２に係る扉閉鎖装置について、図７から図１０に基づいて説明する。図７は、本発明の実施の形態２に係る扉閉鎖装置を示す図であり、（Ａ）は扉の正面図、（Ｂ）は玄関枠の正面図である。図８は、扉の水平断面図である。図９は、扉の垂直断面図である。図１０は、図８の要部拡大図である。なお、図７から図１０においては、図１から図５と同じ構成のものは同符号を付して説明は省略する。また、実施の形態１と同様に下枠内部に収納されているホース１２、バルブ１３、吸引ポンプ１４および制御装置１７については、本実施の形態２では図示を省略している。
【００３１】
実施の形態１の扉閉鎖装置１０では吸盤１１が玄関枠３０（図７の玄関枠１３０に相当）側に設けられていたが、図７に示すように、本発明の実施の形態２に係る扉閉鎖装置１１０は、吸盤１１１が玄関扉１２０側に配置されている。
【００３２】
図８から図１０に示すように、吸盤１１１は、弾性部材であるゴム製やプラスチック製で、矩形状に形成された玄関扉１２０の周囲面全体に沿って配置されている。吸盤１１１は、それぞれ外側吸盤１１２と、内側吸盤１１３とで形成されている。吸盤１１１は、玄関扉１２０の厚み方向に沿って連続させた２つの凹部１２１に格納されている。２つの凹部１２１は、屋外から屋内に向かうに従って玄関扉１２０の中央に向かうように段違いに配置されていることで傾斜状態となっている。これは、玄関扉１２０は蝶番４０を軸に円弧を描いて開閉するので、玄関扉１２０が閉じるときに吸盤１１１が玄関枠１３０と重なって邪魔になり、閉め難くなる状況を回避するためである。従って、玄関枠１３０の開口部の縁部である内周面１３１も傾斜面に形成されている。外側吸盤１１２には、基部１１２ａから先部１１２ｂへ屋外に向かって拡がる第１壁部１１２ｃが形成されている。そして、内側吸盤１１３には、基部１１３ａから先部１１３ｂへ屋内に向かって拡がる第２壁部１１３ｃが形成されている。吸盤１１１は、この外側吸盤１１２と内側吸盤１１３との２つで１つの吸盤として機能している。従って、厚みが厚い玄関扉１２０であっても、玄関扉１２０を玄関枠１３０にしっかりと吸着させることができる。
【００３３】
玄関枠１３０は、傾斜面とした内周面１３１と、玄関扉１２０の閉鎖方向に対して対向するように形成された戸当たり面１３２とで、断面が略Ｌ字状に形成されている。戸当たり面１３２には、玄関扉１２０が閉まるときの衝撃を吸収するための戸当たりゴム１３３が設けられている。吸盤１１１の第１壁部１１２ｃと第２壁部１１３ｃとの先部が内周面１３１と当接することでできる閉塞空間１１４と連通する孔１３５が内周面１３１に所定間隔ごとに設けられている。
【００３４】
ホース１２は、玄関枠１３０の上枠部１３０ａと、２本の縦枠部１３０ｂと、下枠部１３０ｃとにそれぞれ配置されている。ホース１２は、孔１３５に連通することで、閉塞空間１１４と連通している。
【００３５】
以上のように構成された本発明の実施の形態２に係る扉閉鎖装置１１０の使用状態を図面に基づいて説明する。
まず、居住者が玄関扉１２０を閉じてリモコン装置１５を操作することで、制御装置１７を作動させる。玄関扉１２０が閉じた状態では、外側吸盤１１２の第１壁部１１２ｃの先部と内側吸盤１１３の第２壁部１１３ｃとが、玄関枠１３０の内周面１３１に当接した状態となり、内周面１３１が吸盤１１１に蓋をするように当接しているので、吸盤１１１が閉塞部として機能して、閉塞空間１１４が形成される。
【００３６】
制御装置１７が作動することで、バルブ１３が開放となり、吸引ポンプ１４が吸引を開始する。そうすることで、閉塞空間１１４内の空気は、ホース１２を通過すると共に、バルブ１３を通過して吸引される。従って、閉塞空間１１４内が真空状態、または真空状態に近くなる。弾性部材により形成された吸盤１１１は、第１壁部１１２ｃおよび第２壁部１１３ｃが、基部１１２ａ，１１３ａから玄関枠１３０の内周面１３１の吸着面１３１ａに当接する先部１１２ｂ，１１３ｂに向かって拡がるように形成されているので、閉塞空間１１４が真空状態、あるいは真空状態に近くなることで、第１壁部１１２ｃおよび第２壁部１１３ｃが弾性変形して先部１１２ｂ，１１３ｂの内側面が吸着面１３１ａに押し付けられるように密着する。従って、第１壁部１１２ｃおよび第２壁部１１３ｃの先部の内側面を幅広く吸着面１３１ａに密着させることができるので、玄関扉１２０を開けようとしても、玄関扉１２０の閉鎖状態を維持させることができる。
【００３７】
また、外側吸盤１１２と内側吸盤１１３との２つで１つの吸盤１１１として機能していので、外側吸盤１１２と内側吸盤１１３との間隔を大きくとることで、第１壁部１１２ｃと第２壁部１１３ｃとの間隔が広がり閉塞空間１１４を大きく確保することができるので、玄関扉１２０の厚みが厚くても、玄関扉１２０をしっかりと玄関枠１３０に吸着させた状態に維持することができる。
【００３８】
このように、本実施の形態２では、吸盤１１１を玄関扉１２０側に設けても、玄関枠１３０と吸盤１１１とでできる閉塞空間１１４を、玄関枠１３０側から吸引ポンプ１４で吸引することで、錠前の代わりとすることが可能である。従って、不審者の侵入を防止することが可能である。
【００３９】
また、本実施の形態２に係る扉閉鎖装置１１０は、玄関扉１２０と玄関枠１３０との間全体を吸着するので、玄関扉１２０を単に封鎖状態に維持するだけでなく、高い密閉性を確保することができる。従って、本実施の形態２に係る扉閉鎖装置１１０は、恒温室やクリーンルームなど気密性の確保が必要な扉にも好適である。
【００４０】
（実施の形態３）
本発明の実施の形態３に係る扉閉鎖装置を、図１１から図１３に基づいて説明する。図１１は、本発明の実施の形態３に係る扉閉鎖装置を示す図であり、（Ａ）は玄関扉の正面図、（Ｂ）は玄関枠の正面図である。図１２は、玄関扉および玄関枠の水平断面図である。図１３は、図１２の要部拡大図である。なお、図１１から図１３においては、図１から図５と同じ構成のものは同符号を付して説明は省略する。また、実施の形態１と同様に下枠内部に収納されているホース１２、バルブ１３、吸引ポンプ１４および制御装置１７については、本実施の形態３では図示を省略している。
【００４１】
実施の形態１の扉閉鎖装置１０では吸盤１１が玄関枠３０側に設けられており、実施の形態２に係る扉閉鎖装置１１０では吸盤１１１が玄関扉１２０側に配置されていたが、図１１に示すように、本発明の実施の形態３に係る扉閉鎖装置２１０は、吸盤２１１が、玄関扉２２０側と、玄関枠２３０側とに分かれて配置されている。
【００４２】
図１２に示すように、閉塞部である吸盤２１１は、弾性部材であるゴム製やプラスチック製で、玄関扉２２０側に設けられた外側吸盤２１２と、玄関枠２３０側に設けられた内側吸盤２１３とで形成されている。
【００４３】
外側吸盤２１２は、矩形状に形成された玄関扉２２０の周囲面全体に沿って配置されている。この外側吸盤２１２は、玄関扉２２０の周囲面に設けられた凹部２２１に、玄関枠２３０に向かって対向するように配置されている。外側吸盤２１２には、基部２１２ａから先部２１２ｂへ屋外に向かって拡がる第１壁部２１２ｃが形成されている。
【００４４】
内側吸盤２１３は、玄関枠２３０の開口の縁部に設けられた凹部２３１に格納されている。この凹部２３１は、屋外に向くように開口している。従って、内側吸盤２１３は、玄関扉２２０が閉鎖する方向に対向するように配置されている。この内側吸盤２１３には、基部２１３ａから先部２１３ｂへ玄関扉２２０の中央に向かって拡がる第２壁部２１３ｃが形成されている。
【００４５】
吸盤２１１は、この外側吸盤２１２と内側吸盤２１３との２つで１つの吸盤として機能している。つまり、外側吸盤２１２の第１壁部２１２ｃの先部２１２ｂが玄関枠２３０の内周面２３３を吸着面２３３ａとして当接し、外側吸盤２１２の第２壁部２１３ｃの先部２１３ｂが玄関扉２２０の屋内側の縁部２２２を吸着面２２２ａとして当接して閉鎖部として機能することで、閉塞空間２１４が形成される。
【００４６】
玄関枠２３０は、外側吸盤２１２が吸着する吸着面２３３ａとなる内周面２３３と、玄関扉２２０の閉鎖方向に対して対向するように形成され、内側吸盤２１３が配置される凹部２３４とで、断面が略Ｌ字状に形成されている。凹部２３４には、内側吸盤２１３が配置されているので、玄関扉２２０が閉まるときの衝撃を吸収するための戸当たりゴム１３３（図８参照）を新たに設ける必要がない。第１壁部２１２ｃと第２壁部２１３ｃとの先部が内周面２３３と当接することでできる閉塞空間２１４と連通する孔２３６が内周面２３３に所定間隔ごとに設けられている。
【００４７】
ホース１２は、玄関枠２３０の上枠部２３０ａと、２本の縦枠部２３０ｂと、下枠部２３０ｃとにそれぞれ配置されている。ホース１２は、孔２３６に連通することで、閉塞空間２１４と連通している。
【００４８】
以上のように構成された本発明の実施の形態３に係る扉閉鎖装置２１０の使用状態について、図面に基づいて説明する。
まず、居住者が玄関扉２２０を閉じてリモコン装置１５を操作することで、制御装置１７を作動させる。玄関扉２２０が閉じた状態では、外側吸盤２１２の第１壁部２１２ｃの先部が玄関枠２３０の内周面２３３に当接し、内側吸盤２１３の第２壁部２１３ｃ先部が玄関扉２２０の縁部２２２に当接した状態となっている。従って、第１壁部２１２ｃと、縁部２２２と、第２壁部２１３ｃと、内周面２３３とで閉塞空間２１４が形成される。
【００４９】
制御装置１７が作動することで、バルブ１３が開放となり、吸引ポンプ１４が吸引を開始する。そうすることで、閉塞空間２１４内の空気は、ホース１２を通過すると共に、バルブ１３を通過して吸引される。従って、閉塞空間２１４内が真空状態、または真空状態に近くなる。弾性部材により形成された吸盤２１１は、第１壁部２１２ｃが基部２１２ａから先部２１２ｂへ屋外に向かって拡がるように形成されている。また、第２壁部２１３ｃが基部２１３ａから先部２１３ｂへ玄関扉２２０の中央に向かって拡がるように形成されている。従って、閉塞空間２１４が真空状態、あるいは真空状態に近くなることで、第１壁部２１２ｃおよび第２壁部２１３ｃが弾性変形して先部２１２ｂ，２１３ｂの内側面が吸着面２２２ａである玄関扉２２０の縁部２２２と玄関枠２３０の内周面２３３とにそれぞれに押し付けられるように密着する。従って、第１壁部２１２ｃおよび第２壁部２１３ｃの先部２１２ｂ，２１３ｂの内側面を幅広く吸着面２２２ａ，２３３ａに密着させることができるので、玄関扉２２０を開けようとしても、玄関扉２２０の閉鎖状態を維持させることができる。
また、外側吸盤２１２と内側吸盤２１３との２つで１つの吸盤２１１として機能していので、第１壁部２１２ｃと第２壁部２１３ｃとの間隔を大きくとることで、閉塞空間２１４を大きく確保することができるので、玄関扉２２０の厚みが厚くても、玄関扉２２０をしっかりと玄関枠２３０に吸着させた状態に維持することができる。
【００５０】
このように、本実施の形態３では、玄関扉２２０側と玄関枠２３０側とに吸盤２１１を外側吸盤２１２と内側吸盤２１３とに分けて設けても、玄関扉２２０側と玄関枠２３０側とに吸盤２１１がそれぞれ当接してできる閉塞空間２１４を、玄関枠２３０側から吸引ポンプ１４で吸引することで、錠前の代わりとすることが可能である。従って、不審者の侵入を防止することが可能である。また、本実施の形態３に係る扉閉鎖装置２１０でも、玄関扉２２０と玄関枠２３０との間全体を吸着することができるので、高い密閉性を確保することができる。
【００５１】
以上、本発明の実施の形態について説明してきたが、本発明は前記実施の形態に限定されるものではない。例えば、実施の形態１〜３においては、閉塞空間内の空気を吸引するためのホースが玄関枠に設けられているが、閉塞空間内に接続可能であり、吸引ポンプに接続可能であれば玄関扉にホースを設けるようにしてもよい。また、実施の形態１〜３においては、玄関扉が開き戸であるが、引戸としてもよい。引戸の玄関扉に本発明の扉閉鎖装置を設ける場合には、玄関扉の枠当たり面か、または玄関枠の戸当たり面のいずれか一方に吸盤を設ける。そして、玄関扉が閉じられることで吸盤によりできる閉塞空間内に連通するように、吸引するためのホースを玄関枠か、または玄関扉に設け、吸引ポンプに接続することで可能である。
【産業上の利用可能性】
【００５２】
本発明の扉閉鎖装置は、錠前の代わりとすることを可能とすることで、不審者の侵入を防止することが可能なので、玄関だけでなく勝手口などに適用することが可能である。また、本発明の扉閉鎖装置は、住居だけでなく商業施設、文化施設や企業の建物にも採用することができる。
【図面の簡単な説明】
【００５３】
【図１】本発明の実施の形態１に係る扉閉鎖装置を示す図であり、（Ａ）は玄関扉の正面図、（Ｂ）は玄関枠の正面図である。
【図２】玄関枠の下枠内部を示す図である。
【図３】玄関扉および玄関枠の水平断面図である。
【図４】玄関扉および玄関枠の垂直断面図である。
【図５】図３の要部拡大図である。
【図６】実施の形態１の変形例を示す図であり、（Ａ）は吸盤を２本とした例を示す図、（Ｂ）は吸盤を３本とした例を示す図、（Ｃ）は吸盤を４本とした例を示す図、（Ｄ）は吸盤を円形状とした例を示す図である。
【図７】本発明の実施の形態２に係る扉閉鎖装置を示す図であり、（Ａ）は扉の正面図、（Ｂ）は玄関枠の正面図である。
【図８】玄関扉および玄関枠の水平断面図である。
【図９】玄関扉および玄関枠の垂直断面図である。
【図１０】図８の要部拡大図である。
【図１１】本発明の実施の形態３に係る扉閉鎖装置を示す図であり、（Ａ）は玄関扉の正面図、（Ｂ）は玄関枠の正面図である。
【図１２】玄関扉および玄関枠の水平断面図である。
【図１３】図１２の要部拡大図である。
【符号の説明】
【００５４】
１０  扉閉鎖装置
１１  吸盤
１１ｗ〜１１ｚ  吸盤
１１ａ  基部
１１ｂ  ひだ部
１１ｃ  先部
１１ｄ  閉塞空間
１１ｅ  基端
１１ｆ  孔
１２  ホース
１３  バルブ
１４  吸引ポンプ
１５  リモコン装置
１５ａ  ボタン
１６  センサ部
１６ａ  配線
１７  制御装置
２０  玄関扉
２１  吸着面
３０  玄関枠
３０ａ  上枠部
３０ｂ  縦枠部
３０ｃ  下枠部
３１  凹部
３２  空間
３３〜３５  戸当たりゴム
４０  蝶番
４１  アンカー
４２  壁部
１１０  扉閉鎖装置
１１１  吸盤
１１２  外側吸盤
１１２ａ  基部
１１２ｂ  先部
１１２ｃ  第１壁部
１１３  内側吸盤
１１３ａ  基部
１１３ｂ  先部
１１３ｃ  第２壁部
１１４  閉塞空間
１２０  玄関扉
１２１  凹部
１３０  玄関枠
１３０ａ  上枠部
１３０ｂ  縦枠部
１３０ｃ  下枠部
１３１  内周面
１３１ａ  吸着面
１３２  戸当たり面
１３３  戸当たりゴム
１３５  孔
２１０  扉閉鎖装置
２１１  吸盤
２１２  外側吸盤
２１２ａ  基部
２１２ｂ  先部
２１２ｃ  第１壁部
２１３  内側吸盤
２１３ａ  基部
２１３ｂ  先部
２１３ｃ  第２壁部
２１４  閉塞空間
２２０  玄関扉
２２１  凹部
２２２  縁部
２２２ａ  吸着面
２３０  玄関枠
２３０ａ  上枠部
２３０ｂ  縦枠部
２３０ｃ  下枠部
２３１  凹部
２３３  内周面
２３３ａ  吸着面
２３４  凹部
２３６  孔
【図１】
2009052290.tif 000003
【図２】
2009052290.tif 000004
【図３】
2009052290.tif 000005
【図４】
2009052290.tif 000006
【図５】
2009052290.tif 000007
【図６】
2009052290.tif 000008
【図７】
2009052290.tif 000009
【図８】
2009052290.tif 000010
【図９】
2009052290.tif 000011
【図１０】
2009052290.tif 000012
【図１１】
2009052290.tif 000013
【図１２】
2009052290.tif 000014
【図１３】
2009052290.tif 000015